(57)【特許請求の範囲】
【請求項１】
情報処理装置と、該情報処理装置に接続される拡張アンテナ装置とを備える情報処理システムであって、
前記情報処理装置は、
近距離無線通信機能を有する通信器と近距離無線通信を行う通信制御部と、
前記通信制御部によって前記通信器から受信された前記近距離無線通信の内容に応じて情報処理を行う情報処理部と、
前記通信制御部が設けられる第一の筐体と、
前記情報処理部が設けられる第二の筐体と、
前記第一の筐体に設けられ、前記通信制御部によって受信された前記近距離無線通信の内容を、無線通信によって前記情報処理部に送信する第一の無線通信部と、
前記第二の筐体に設けられ、前記第一の無線通信部によって送信されたデータを受信する第二の無線通信部と、
前記近距離無線通信に用いられる基本アンテナと、
前記拡張アンテナ装置を接続可能な情報処理装置側端子と、を備え、
前記拡張アンテナ装置は、
前記近距離無線通信に用いられる拡張アンテナと、
前記情報処理装置側端子に接続されることで、前記拡張アンテナと前記情報処理装置とを接続する拡張アンテナ側端子と、を備え、
前記通信制御部は、前記基本アンテナおよび前記拡張アンテナの少なくとも何れかを介して、前記通信器と前記近距離無線通信を行う、
情報処理システム。
【請求項２】
前記情報処理装置は、前記通信制御部に送られる信号を、前記基本アンテナからの信号と前記拡張アンテナからの信号との間で切り替え可能な切替部を更に備え、
前記通信制御部は、前記切替部によるアンテナの切り替えを制御する、
請求項１に記載の情報処理システム。
【請求項３】
前記通信制御部は、該通信制御部に送られる信号が、前記基本アンテナからの信号と前記拡張アンテナからの信号との間で所定時間毎に切り替わるように、前記切替部を制御し、信号が入力された時間帯によって、該信号が何れのアンテナから入力されたデータであるかを決定する、
請求項２に記載の情報処理システム。
【請求項４】
前記情報処理装置は、ユーザによる操作を受け付ける入力装置を更に備える、
請求項１から３の何れか一項に記載の情報処理システム。
【請求項５】
前記通信制御部は、前記入力装置によって受け付けられた操作の内容に応じて、何れのアンテナを用いてデータを取得するかを決定する、
請求項４に記載の情報処理システム。
【請求項６】
前記情報処理部は、前記通信制御部によって前記通信器から受信された前記近距離無線通信の内容および前記入力装置によって受け付けられた操作の内容に応じて情報処理を行う、
請求項４または５に記載の情報処理システム。
【請求項７】
前記情報処理装置は、前記第一の筐体に設けられた、ユーザによる操作を受け付ける入力装置を更に備え、
前記第一の無線通信部は、前記入力装置によって受け付けられた操作の内容を、無線通信によって前記情報処理部に更に送信し、
前記情報処理部は、前記通信制御部によって前記通信器から受信された前記近距離無線通信の内容および前記入力装置によって受け付けられた操作の内容に応じて情報処理を行う、
請求項１から６の何れか一項に記載の情報処理システム。
【請求項８】
前記拡張アンテナ装置は、第一の拡張アンテナおよび第二の拡張アンテナを備える、
請求項２又は３に記載の情報処理システム。
【請求項９】
前記拡張アンテナ装置は、前記通信制御部に送られる信号を、前記第一の拡張アンテナからの信号と前記第二の拡張アンテナからの信号との間で切り替え可能な拡張切替部を更に備え、
前記通信制御部は、前記切替部および前記拡張切替部を制御することで、該通信制御部に送られる信号を、前記基本アンテナからの信号、前記第一の拡張アンテナからの信号および前記第二の拡張アンテナからの信号の間で切り替える、
請求項８に記載の情報処理システム。
【請求項１０】
前記拡張アンテナ側端子および前記情報処理装置側端子には、前記第一の拡張アンテナのための信号線および前記第二の拡張アンテナのための信号線が含まれており、
前記切替部は、前記通信制御部に送られる信号を、前記基本アンテナからの信号、前記第一の拡張アンテナからの信号および前記第二の拡張アンテナからの信号の間で切り替え可能であり、
前記通信制御部は、前記切替部を制御することで、該通信制御部に送られる信号を、前記基本アンテナからの信号、前記第一の拡張アンテナからの信号および前記第二の拡張アンテナからの信号の間で切り替える、
請求項８に記載の情報処理システム。
【請求項１１】
前記拡張アンテナは、前記基本アンテナとは異なる大きさを有する、
請求項１から１０の何れか一項に記載の情報処理システム。
【請求項１２】
前記通信器は、データが記録された記憶部と、該記憶部から該データを読み出して送信する近距離無線通信部とを有し、
前記通信制御部によって前記通信器から受信される前記近距離無線通信の内容は、前記データを含む、
請求項１から１１の何れか一項に記載の情報処理システム。
【請求項１３】
前記拡張アンテナ装置は、前記拡張アンテナを用いて前記近距離無線通信を行うことが可能な範囲内に前記通信器を固定する固定部を更に備える、
請求項１から１２の何れか一項に記載の情報処理システム。
【請求項１４】
前記通信器は、所定の形状および大きさを有する部材を有し、
前記固定部は、前記部材が嵌合する嵌合部を有する、
請求項１３に記載の情報処理システム。
【請求項１５】
近距離無線通信機能を有する通信器と近距離無線通信を行う通信制御部と、
前記通信制御部によって前記通信器から受信された前記近距離無線通信の内容に応じて情報処理を行う情報処理部と、
前記通信制御部が設けられる第一の筐体と、
前記情報処理部が設けられる第二の筐体と、
前記第一の筐体に設けられ、前記通信制御部によって受信された前記近距離無線通信の内容を、無線通信によって前記情報処理部に送信する第一の無線通信部と、
前記第二の筐体に設けられ、前記第一の無線通信部によって送信されたデータを受信する第二の無線通信部と、
前記近距離無線通信に用いられる基本アンテナと、
前記近距離無線通信に用いられる拡張アンテナを備える拡張アンテナ装置を接続可能な端子と、を備え、
前記通信制御部は、前記基本アンテナおよび前記拡張アンテナの少なくとも何れかを介して、前記通信器と前記近距離無線通信を行う、
情報処理装置。
【請求項１６】
通信制御部および第一の無線通信部が設けられる第一の筐体と、情報処理部および第二の無線通信部が設けられる第二の筐体と、近距離無線通信に用いられる基本アンテナと、前記近距離無線通信に用いられる拡張アンテナを備える拡張アンテナ装置を接続可能な端子と、を備えるコンピュータが、
前記通信制御部によって、前記基本アンテナおよび前記拡張アンテナの少なくとも何れかを介して、近距離無線通信機能を有する通信器と前記近距離無線通信を行う通信制御ステップと、
前記情報処理部によって、前記通信制御ステップで前記通信器から受信された前記近距離無線通信の内容に応じて情報処理を行う情報処理ステップと、
前記第一の無線通信部によって、前記通信制御ステップで受信された前記近距離無線通信の内容を、無線通信によって前記情報処理部に送信する第一の無線通信ステップと、
前記第二の無線通信部によって、前記第一の無線通信ステップで送信されたデータを受信する第二の無線通信ステップと、
前記通信制御ステップで処理されるために送られる信号を、前記基本アンテナからの信号と前記拡張アンテナからの信号との間で切り替える切替ステップと、
を実行する方法。
【請求項１７】
通信制御部および第一の無線通信部が設けられる第一の筐体と、情報処理部および第二の無線通信部が設けられる第二の筐体と、近距離無線通信に用いられる基本アンテナと、前記近距離無線通信に用いられる拡張アンテナを備える拡張アンテナ装置を接続可能な端子と、を備えるコンピュータに、
前記通信制御部によって、前記基本アンテナおよび前記拡張アンテナの少なくとも何れかを介して、近距離無線通信機能を有する通信器と前記近距離無線通信を行う通信制御ステップと、
前記情報処理部によって、前記通信制御ステップで前記通信器から受信された前記近距離無線通信の内容に応じて情報処理を行う情報処理ステップと、
前記第一の無線通信部によって、前記通信制御ステップで受信された前記近距離無線通信の内容を、無線通信によって前記情報処理部に送信する第一の無線通信ステップと、
前記第二の無線通信部によって、前記第一の無線通信ステップで送信されたデータを受信する第二の無線通信ステップと、
前記通信制御ステップで処理されるために送られる信号を、前記基本アンテナからの信号と前記拡張アンテナからの信号との間で切り替える切替ステップと、
を実行させるためのプログラム。
【請求項１８】
情報処理装置と、該情報処理装置に接続される拡張アンテナ装置とを備える情報処理システムであって、
前記情報処理装置は、
近距離無線通信機能を有する通信器と近距離無線通信を行う通信制御部と、
前記近距離無線通信に用いられる基本アンテナと、
前記拡張アンテナ装置を接続可能な情報処理装置側端子と、
前記通信制御部に送られる信号を、前記基本アンテナからの信号と前記拡張アンテナ装置からの信号との間で切り替え可能な切替部と、を備え、
前記拡張アンテナ装置は、
前記近距離無線通信に用いられる第一の拡張アンテナおよび第二の拡張アンテナと、
前記情報処理装置側端子に接続されることで、前記第一の拡張アンテナおよび前記第二の拡張アンテナと前記情報処理装置とを接続する拡張アンテナ側端子と、
前記情報処理装置に送られる信号を、前記第一の拡張アンテナからの信号と前記第二の拡張アンテナからの信号との間で切り替え可能な拡張切替部と、を備え、
前記通信制御部は、前記切替部および前記拡張切替部を制御することで、該通信制御部に送られる信号を、前記基本アンテナからの信号、前記第一の拡張アンテナからの信号および前記第二の拡張アンテナからの信号の間で切り替え、前記基本アンテナ、前記第一の拡張アンテナおよび前記第二の拡張アンテナの少なくとも何れかを介して、前記通信器と前記近距離無線通信を行う、
情報処理システム。
【発明の詳細な説明】
【技術分野】
【０００１】
本開示は、近距離無線通信を用いた情報処理に関する。
【背景技術】
【０００２】
従来、近距離無線通信の通信範囲内にあるＩＣタグの検知を行い、検知／非検知を入力操作として受け付け、受け付けた入力操作に応じてゲーム処理を行うゲーム機が提案されている（特許文献１を参照）。
【先行技術文献】
【特許文献】
【０００３】
【特許文献１】特開２０１３−２５１８１６公報
【発明の概要】
【発明が解決しようとする課題】
【０００４】
従来、ＮＦＣ（Ｎｅａｒ  Ｆｉｅｌｄ  Ｃｏｍｍｕｎｉｃａｔｉｏｎ）等の近距離無線通信のためのリーダー／ライターを備える情報処理装置が普及しており、このようなリーダー／ライターを用いてＩＣタグを検知してＩＣタグ内のデータを取得し、情報処理装置における情報処理に活用することが行われている。
【０００５】
しかし、このような近距離無線通信のためのリーダー／ライターは、内蔵されたアンテナを介して通信を行うものである。このため、リーダー／ライターを種々の情報処理に活用するにあたっては、夫々の情報処理の特性に関わらず、リーダー／ライターに予め固定されたアンテナ構成を用いる他なかった。例えば、情報処理装置における情報処理がゲーム処理である場合、ゲームのシステムや世界観はゲーム毎に異なるものの、予め固定されたアンテナ構成を用いる他なかった。このため、従来は、リーダー／ライターが用いられる情報処理やゲーム処理毎に、専用のリーダー／ライターが提供されていた。
【０００６】
本開示は、上記に鑑み、近距離無線通信が用いられる情報処理毎に、情報処理の特性に合わせたアンテナ構成を簡易に提供可能とすることを課題とする。
【課題を解決するための手段】
【０００７】
本開示の一側面は、情報処理装置と、該情報処理装置に接続される拡張アンテナ装置とを備える情報処理システムであって、前記情報処理装置は、近距離無線通信機能を有する通信器と近距離無線通信を行う通信制御部と、前記近距離無線通信に用いられる基本アンテナと、前記拡張アンテナ装置を接続可能な情報処理装置側端子と、を備え、前記拡張アンテナ装置は、前記近距離無線通信に用いられる拡張アンテナと、前記情報処理装置側端子に接続されることで、前記拡張アンテナと前記情報処理装置とを接続する拡張アンテナ側端子と、を備え、前記通信制御部は、前記基本アンテナおよび前記拡張アンテナの少なくとも何れかを介して、前記通信器と前記近距離無線通信を行う、情報処理システムである。
【０００８】
また、前記情報処理装置は、前記通信制御部に送られる信号を、前記基本アンテナからの信号と前記拡張アンテナからの信号との間で切り替え可能な切替部を更に備え、前記通信制御部は、前記切替部によるアンテナの切り替えを制御してもよい。
【０００９】
また、前記通信制御部は、該通信制御部に送られる信号が、前記基本アンテナからの信号と前記拡張アンテナからの信号との間で所定時間毎に切り替わるように、前記切替部を制御し、信号が入力された時間帯によって、該信号が何れのアンテナから入力されたデータであるかを決定してもよい。
【００１０】
また、前記情報処理装置は、ユーザによる操作を受け付ける入力装置を更に備えてもよい。
【００１１】
また、前記通信制御部は、前記入力装置によって受け付けられた操作の内容に応じて、何れのアンテナを用いてデータを取得するかを決定してもよい。
【００１２】
また、前記情報処理装置は、前記通信制御部によって前記通信器から受信された前記近距離無線通信の内容および前記入力装置によって受け付けられた操作の内容に応じて情報処理を行う情報処理部を更に備えてもよい。
【００１３】
また、前記情報処理装置は、前記通信制御部が設けられる第一の筐体と、前記情報処理部が設けられる第二の筐体と、前記第一の筐体に設けられ、前記通信制御部によって受信された前記近距離無線通信の内容を、無線通信によって前記情報処理部に送信する第一の無線通信部と、前記第二の筐体に設けられ、前記第一の無線通信部によって送信された前記データを受信する第二の無線通信部と、前記第二の筐体に設けられ、前記通信制御部によって前記通信器から受信された前記近距離無線通信の内容に応じて情報処理を行う情報処理部を更に備えてもよい。
【００１４】
また、前記情報処理装置は、前記第一の筐体に設けられた、ユーザによる操作を受け付ける入力装置を更に備え、前記第一の無線通信部は、前記入力装置によって受け付けられた操作の内容を、無線通信によって前記情報処理部に更に送信し、前記情報処理部は、前記通信制御部によって前記通信器から受信された前記近距離無線通信の内容および前記入力装置によって受け付けられた操作の内容に応じて情報処理を行ってもよい。
【００１５】
また、前記拡張アンテナ装置は、第一の拡張アンテナおよび第二の拡張アンテナを備えてもよい。
【００１６】
また、前記拡張アンテナ装置は、前記通信制御部に送られる信号を、前記第一の拡張アンテナからの信号と前記第二の拡張アンテナからの信号との間で切り替え可能な拡張切替部を更に備え、前記通信制御部は、前記切替部および前記拡張切替部を制御することで、該通信制御部に送られる信号を、前記基本アンテナからの信号、前記第一の拡張アンテナからの信号および前記第二の拡張アンテナからの信号の間で切り替えてもよい。
【００１７】
また、前記拡張アンテナ側端子および前記情報処理装置側端子には、前記第一の拡張アンテナのための信号線および前記第二の拡張アンテナのための信号線が含まれており、前記切替部は、前記通信制御部に送られる信号を、前記基本アンテナからの信号、前記第一の拡張アンテナからの信号および前記第二の拡張アンテナからの信号の間で切り替え可能であり、前記通信制御部は、前記切替部を制御することで、該通信制御部に送られる信号を、前記基本アンテナからの信号、前記第一の拡張アンテナからの信号および前記第二の拡張アンテナからの信号の間で切り替えてもよい。
【００１８】
また、前記拡張アンテナは、前記基本アンテナとは異なる大きさを有していてもよい。
【００１９】
また、前記通信器は、データが記録された記憶部と、該記憶部から該データを読み出して送信する近距離無線通信部とを有し、前記通信制御部によって前記通信器から受信される前記近距離無線通信の内容は、前記データを含んでもよい。
【００２０】
また、前記拡張アンテナ装置は、前記拡張アンテナを用いて前記近距離無線通信を行うことが可能な範囲内に前記通信器を固定する固定部を更に備えてもよい。
【００２１】
また、前記通信器は、所定の形状および大きさを有する部材を有し、前記固定部は、前記部材が嵌合する嵌合部を有してもよい。
【００２２】
また、本開示は、情報処理装置、コンピュータによって実行される方法、またはコンピュータに実行させるプログラムとしても把握することが可能である。また、本開示は、そのようなプログラムをコンピュータその他の装置、機械等が読み取り可能な記録媒体に記録したものとしても把握できる。ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。
【発明の効果】
【００２３】
本開示によれば、近距離無線通信が用いられる情報処理毎に、情報処理の特性に合わせたアンテナ構成を簡易に提供可能とすることが可能となる。
【図面の簡単な説明】
【００２４】
【図１】第一の実施形態に係る情報処理システムの構成の概略およびハードウェア構成の概略を示す図である。
【図２】第二の実施形態に係る情報処理システムの構成の概略およびハードウェア構成の概略を示す図である。
【図３】第三の実施形態に係る情報処理システムの構成の概略およびハードウェア構成の概略を示す図である。
【発明を実施するための形態】
【００２５】
以下、本開示の実施の形態を、図面に基づいて説明する。なお、以下に説明する実施の形態は、本開示を実施する場合の一例を示すものであって、本開示を以下に説明する具体的構成に限定するものではない。本開示の実施にあたっては、実施の形態に応じた具体的構成が適宜採用されてよい。
【００２６】
＜第一の実施形態＞
図１は、本実施形態に係る情報処理システムの構成の概略およびハードウェア構成の概略を示す図である。本実施形態に係る情報処理システムは、情報処理装置１および情報処理装置１に接続される拡張アンテナ装置３を備える。
【００２７】
本実施形態に係る情報処理装置１は、ユーザによって使用されるゲーム装置等である。ゲーム装置としては、様々な種類の装置を用いることが可能であり、例えば、据え置きゲーム装置、携帯ゲーム装置等が挙げられるが、その種類は限定されない。ユーザは、この情報処理装置１に、ゲーム用プログラムに基づくゲーム処理を実行させることでゲームをプレイすることが出来る。但し、本開示は、近距離無線通信が用いられる情報処理に広く適用することが可能であり、本開示が適用される情報処理装置はゲーム装置に限定されない。本開示が適用されるその他の情報処理装置としては、例えば、スマートフォン、タブレット、パーソナルコンピュータ、ウェアラブルな電子機器等が挙げられる。また、本開示を適用可能な情報処理は、ゲーム処理に限定されない。
【００２８】
また、本実施形態に係る情報処理装置１は、ゲーム処理に際して、近距離無線通信（例えば、ＮＦＣ）によってＩＣタグ（通信器）８と通信を行うことが出来る。ここで、近距離無線通信とは、１メートル以内程度の極短距離の通信エリアを有し、非接触での通信か可能な、近接場型の無線通信である。近距離無線通信のための様々な通信規格が存在するが、本開示における近距離無線通信に採用可能な通信規格は限定されない。ＩＣタグ８は、ゲームの世界観を構成するために、フィギュアやカード等の、鑑賞の対象となり得るゲーム部品９に内蔵することが出来る。本実施形態では、ＩＣタグ８がフィギュアのゲーム部品９に内蔵されている例について説明する。
【００２９】
ゲーム部品９は、ゲームに登場するキャラクター等をフィギュアやカード等に表したものであり、ゲーム部品９には、複数の種類が存在する。何れのゲーム部品９も、ＩＣタグ８を内蔵しており、更に、所定の形状および大きさを有する部材を備える。例えば、本実施形態に係るフィギュアは、何れも、同一直径の円柱状の形状を有する台座の部材９１を備えている。また、ゲーム部品９がカードである場合、カードは、ＩＣタグ８を内蔵する外殻であるカード部材が、何れも統一規格の縦横長さを有している。
【００３０】
また、ＩＣタグ８は、データが記録された記憶部８１と、記憶部８１からデータを読み出して送信する近距離無線通信部８２と、近距離無線通信に用いられるＩＣタグアンテナ８３と、を備える。記録されているデータはゲーム部品９毎に異なるため、情報処理装置１がＩＣタグ８から受信する近距離無線通信の内容に含まれるデータは、ゲーム部品９毎に異なる。
【００３１】
情報処理装置１は、ＣＰＵ（Ｃｅｎｔｒａｌ  Ｐｒｏｃｅｓｓｉｎｇ  Ｕｎｉｔ）１１と、ＲＡＭ（Ｒａｎｄｏｍ  Ａｃｃｅｓｓ  Ｍｅｍｏｒｙ）１２と、ＲＯＭ（Ｒｅａｄ  Ｏｎｌｙ  Ｍｅｍｏｒｙ）１３と、補助記憶装置１４と、ネットワークを介して外部との通信を行うためのネットワークインターフェース１５と、ユーザ操作を受け付ける入力装置１６と、映像出力や音響出力のための出力装置１７と、通信制御部（ＮＦＣ  ＩＣ）１８と、近距離無線通信に用いられる基本アンテナ１９と、切替部（スイッチＩＣ）２０と、拡張アンテナ装置３を接続可能な情報処理装置側端子２１と、が電気的に接続された情報処理装置である。なお、情報処理装置１の具体的なハードウェア構成に関しては、実施の形態に応じて適宜構成要素の省略や置換、追加が行われてよい。
【００３２】
ＣＰＵ１１は、中央処理装置であり、ＲＡＭ１２およびＲＯＭ１３等に展開された命令及びデータを処理することで、ＲＡＭ１２、補助記憶装置１４等の、情報処理装置１に備えられた各構成を制御する。また、ＲＡＭ１２は、主記憶装置であり、ＣＰＵ１１によって制御され、各種命令やデータが書き込まれ、読み出される。即ち、ＣＰＵ１１、ＲＡＭ１２、およびＲＯＭ１３は、情報処理装置１の情報処理部１０を構成する。
【００３３】
補助記憶装置１４は、不揮発性の記憶装置であり、主に情報処理装置１の電源を落としても保持したい情報、例えば、ＲＡＭ１２にロードされる情報処理装置１のＯＳ（Ｏｐｅｒａｔｉｎｇ  Ｓｙｓｔｅｍ）や、後述する処理を実行するための各種プログラムの他、情報処理装置１によって使用される各種データが書き込まれ、読み出される。補助記憶装置１４としては、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やＨＤＤ（Ｈａｒｄ  Ｄｉｓｋ  Ｄｒｉｖｅ）等を用いることが出来る。また、補助記憶装置１４として、情報処理装置１に対して着脱可能に装着される可搬媒体が用いられてもよい。可搬媒体の例としては、ＥＥＰＲＯＭ等によるメモリーカード、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）およびＢＤ（Ｂｌｕ−ｒａｙ（登録商標）  Ｄｉｓｃ）等が挙げられる。可搬媒体による補助記憶装置１４と、可搬型ではない補助記憶装置１４とは、組み合わせて用いることも可能である。
【００３４】
入力装置１６には、ボタン、レバー、キーボード、マイクロフォン、カメラ、加速度センサ、角速度センサ、タッチパネル、またはタッチパネル式ディスプレイ等の様々な装置を採用することが出来る。タッチパネル式ディスプレイは、画像を出力する出力装置１７であると共に、情報処理装置１の入力装置１６の一つである。ユーザは、タッチパネル式ディスプレイの表面をタッチペンや指等で触れることで、手書き入力を行うことが出来る。タッチパネル式ディスプレイには、例えば、抵抗膜方式のタッチパネルが採用されてもよいし、静電容量方式のタッチパネルが採用されてもよい。その他、タッチパネル式ディスプレイには、任意の方式のタッチパネルを用いることができる。
【００３５】
切替部２０は、通信制御部１８または情報処理部１０に制御されて、通信制御部１８に送られる信号を、基本アンテナ１９からの信号と拡張アンテナ装置３からの信号との間で切り替える。
【００３６】
通信制御部１８は、所定の近距離無線通信用プロトコルに従ってＩＣタグ８との間で信号を送受信することで、ＩＣタグ８と近距離無線通信を行い、ＩＣタグ８からデータを受信し、またＩＣタグに対してデータを送信する。ここで、通信制御部１８は、切替部２０によるアンテナの切り替えを制御することで、基本アンテナ１９および拡張アンテナの少なくとも何れかを介して、ＩＣタグ８と近距離無線通信を行う。なお、本実施形態では、拡張アンテナ装置３が第一の拡張アンテナ３１と第二の拡張アンテナ３２とを有しているため、通信制御部１８は、切替部２０および拡張切替部３３を制御することで、通信制御部１８に送られる信号を、基本アンテナ１９からの信号、第一の拡張アンテナ３１からの信号および第二の拡張アンテナ３２からの信号の間で切り替える。
【００３７】
情報処理部１０は、補助記憶装置１４から読み出す、またはネットワークを介してダウンロードする、等の方法でＲＡＭ１２にユーザ所望のゲーム用プログラムをロードし、これを実行することでゲーム処理を行う。ゲームの進行等の状態は、ゲーム用プログラム中のデータ（フラグやパラメータ等）等を用いて管理される。例えば、本実施形態において、情報処理部１０は、通信制御部１８によってＩＣタグ８から受信された近距離無線通信の内容、および入力装置１６によって受け付けられたユーザ操作の内容を、ゲーム用プログラムの各種フラグやパラメータに反映させながら、これらの内容に応じてゲーム用プログラムを実行することで、ゲーム処理を行う。
【００３８】
また、情報処理部１０は、実行されているアプリケーション（例えば、ゲームプログラム）、ユーザ操作の内容、近距離無線通信の内容、ゲームの進行、およびゲーム内のフラグやパラメータに応じて、何れのアンテナから得られたデータをゲーム処理に用いるかを決定してもよい。この際、情報処理部１０は、近距離無線通信可能な全てのＩＣタグ８からデータを得て、得られたデータから所望のアンテナ経由で得られたデータを選択してよい。または、情報処理部１０は、通信制御部１８、切替部２０または拡張切替部３３に指示して、所望のアンテナ経由でデータを得るようにしてもよい。この場合、通信制御部１８は、情報処理部１０からの指示を受けて、入力装置１６によって受け付けられたユーザ操作の内容に応じて、何れのアンテナを用いてデータを取得するかを決定する。
【００３９】
また、拡張アンテナ装置３は、近距離無線通信に用いられる第一の拡張アンテナ３１および第二の拡張アンテナ３２と、拡張アンテナを切り替えるために用いられる拡張切替部（スイッチＩＣ）３３と、情報処理装置側端子２１に接続されることで拡張アンテナ３１，３２と情報処理装置１とを接続する拡張アンテナ側端子３４と、ＩＣタグ８を含むフィギュアを固定する固定部３５と、を備える。本実施形態に係る拡張アンテナ装置３は、ＣＰＵやＲＡＭ、ＲＯＭ等のプロセッサを備えていない。また、近距離無線通信は情報処理装置１側の通信制御部１８によって制御されるため、本実施形態に係る拡張アンテナ装置３は、近距離無線通信を行うためのＩＣ（情報処理装置１に備えられた通信制御部１８に相当するもの）を備える必要がない。但し、拡張アンテナ装置３の具体的なハードウェア構成に関しては、情報処理装置１と同様、実施の形態に応じて適宜構成要素の省略や置換、追加が行われてよい。
【００４０】
また、本実施形態に係る拡張アンテナ装置３の外形、および拡張アンテナ３１，３２の配置は、拡張アンテナ３が用いられる情報処理の特性（ゲーム処理である場合には、ゲームのシステムおよびゲームの世界観）に合わせるように決定される。
【００４１】
この際、拡張アンテナは、基本アンテナ１９とは異なる大きさを有してもよい。このようにすることで、基本アンテナとは近距離無線通信可能な範囲が異なる拡張アンテナを提供し、情報処理の幅を広げることが出来る。例えば、比較的大きな拡張アンテナを備えることで、１のアンテナに対して複数のＩＣタグを通信可能に配置することが出来、拡張アンテナ装置を、ゲーム部品を複数個設置してディスプレイする無線ポータルとして用いることが出来る。
【００４２】
また、本実施形態では、拡張アンテナの数が２つの場合について説明しているが、拡張アンテナの数は２に限定されない。拡張アンテナの数は１であってもよいし、３以上であってもよい。例えば、拡張アンテナ装置に３以上の拡張アンテナを備え、カード型のゲーム部品９を用いる場合には、拡張アンテナ装置は、カードを複数並べて配置可能なカードゲーム用のデッキとして用いることが出来る。
【００４３】
拡張切替部３３は、通信制御部１８または情報処理部１０に制御されて、情報処理装置１の通信制御部１８に送られる信号を、第一の拡張アンテナ３１からの信号と第二の拡張アンテナ３２からの信号との間で切り替える。
【００４４】
固定部３５は、拡張アンテナ３１，３２の近傍に、フィギュアの部材９１が嵌合する嵌合部３６を有することで、拡張アンテナ３１，３２を用いて近距離無線通信を行うことが可能な範囲内にＩＣタグ８を固定する。固定部３５によって所定の位置にゲーム部品９が固定され、またＩＣタグ８が近距離無線通信可能な範囲内に固定されることで、ユーザはゲームの世界観を享受することが出来、また、ゲームのプレイ中にＩＣタグ８が脱落して通信不能となりゲームの進行が妨げられることを抑止出来る。
【００４５】
なお、本実施形態では、嵌合させることによってゲーム部品を固定部に固定する例について説明しているが、固定の方法にはその他の方法が採用されてよい。例えば、クリップ等で挟持する、摩擦によってグリップする、突起に係止させる、等の方法が採用されてよい。
【００４６】
上述の通り、本実施形態では、通信制御部１８によって、切替部２０および拡張切替部３３が制御されることで、通信制御部１８に信号が送られるアンテナ（アクティブなアンテナ）を、基本アンテナ１９、第一の拡張アンテナ３１および第二の拡張アンテナ３２の間で切り替える。より具体的には、通信制御部１８は、通信制御部１８に送られる信号が、基本アンテナ１９からの信号と拡張アンテナ装置３からの信号との間で所定時間毎に切り替わるように、切替部２０を制御し、更に、拡張アンテナ装置３に割り当てられた時間において拡張切替部３３を制御して、第一の拡張アンテナ３１と第二の拡張アンテナ３２とを切り替える。
【００４７】
この際、入力された信号が何れのアンテナから入力されたデータであるかは、信号が入力された時間帯（タイムスロット）によって知ることが出来る。例えば、順番に繰り返されるタイムスロット１から３がある場合、通信制御部１８は、タイムスロット１において基本アンテナ１９がアクティブとなり、タイムスロット２および３において拡張アンテナ装置３がアクティブとなるように、切替部２０を制御する。更に、通信制御部１８は、タイムスロット２において第一の拡張アンテナ３１がアクティブとなり、タイムスロット３において第二の拡張アンテナ３２がアクティブとなるように、拡張切替部３３を制御する。このようにすることで、通信制御部１８は、タイムスロット１においては基本アンテナ１９を、タイムスロット２においては第一の拡張アンテナ３１を、タイムスロット３においては第二の拡張アンテナ３２を、アクティブとすることが出来る。
【００４８】
＜第二の実施形態＞
上記説明した第一の実施形態では、情報処理装置１は単一の筐体に各種構成が設けられた装置であったが、本開示を適用可能な情報処理装置は、単一筐体の情報処理装置に限定されない。情報処理装置は、その構成が複数の筐体に分散されたものであってもよい。また、その機能の一部または全部が、クラウド技術等を用いて、遠隔地に設置された装置や、分散設置された複数の装置によって実行されるものであってもよい。
【００４９】
図２は、第二の実施形態に係る情報処理システムの構成の概略およびハードウェア構成の概略を示す図である。第一の実施形態において説明した構成と同様の構成については、同一の符号を付し、説明を省略する。
【００５０】
本実施形態に係る情報処理システムは、情報処理装置１ｂが、２つの筐体（第一の筐体１ｂ．１および第二の筐体１ｂ．２）を有しており、これらが無線または有線で接続されて連携することで、１の情報処理装置１ｂとして機能する点で、第一の実施形態において説明した情報処理装置１と異なる。具体的には、第一の筐体１ｂ．１は、入力装置１６と、ディスプレイ等の出力装置１７．１と、通信制御部１８と、基本アンテナ１９と、切替部（スイッチＩＣ）２０と、情報処理装置側端子２１と、が設けられた、ユーザに把持されるコントローラである。コントローラをこのような構成とすることで、ユーザは、ゲーム部品９を取り付けたコントローラを把持して遊ぶことが出来る。
【００５１】
また、第二の筐体１ｂ．２は、情報処理部１０（ＣＰＵ１１、ＲＡＭ１２およびＲＯＭ１３を含む）と、補助記憶装置１４と、ネットワークインターフェース１５と、テレビジョン装置等への出力を行う出力装置１７．２と、が設けられた、据え置きされる情報処理装置本体である。なお、本実施形態では、第一の筐体１ｂ．１および第二の筐体１ｂ．２の夫々に出力装置が設けられる例について説明しているが、出力装置が設けられるのは、何れか一方の筐体のみであってもよい。
【００５２】
更に、第一の筐体１ｂ．１には第一の無線通信部２２．１が、第二の筐体１ｂ．２には第二の無線通信部２２．２が備えられる。但し、本実施形態では無線通信によって第一の筐体１ｂ．１と第二の筐体１ｂ．２とが連携する例について説明されているが、上述の通り、これらの筐体は有線接続によって連携してもよい。
【００５３】
第一の筐体に設けられた第一の無線通信部２２．１は、入力装置１６によって受け付けられたユーザ操作の内容、および通信制御部１８によって受信された近距離無線通信の内容を、第二の無線通信部２２．２との無線通信によって情報処理部１０に送信する。情報処理部は、受信された近距離無線通信の内容およびユーザ操作の内容に応じて、情報処理（ゲーム処理）を行う。
【００５４】
第二の筐体に設けられた第二の無線通信部２２．２は、第一の無線通信部によって送信されたデータを受信して情報処理部１０へ送る。更に、第二の無線通信部２２．２は、情報処理部１０からの指示を、第一の無線通信部２２．１との無線通信によって通信制御部１８や出力装置１７．１へ送る。
【００５５】
即ち、本開示は、様々な形態を有する情報処理装置に適用可能であり、情報処理装置の種類を問わず、情報処理の特性に合わせたアンテナ構成を簡易に提供可能とすることが出来る。
【００５６】
＜第三の実施形態＞
上記説明した第一の実施形態では、拡張アンテナ装置３は拡張切替部３３を備えており、情報処理装置１側の通信制御部１８による制御を受けて拡張アンテナ３１，３２の切替を行っていたが、拡張アンテナ装置の拡張切替部（スイッチＩＣ）は省略することが出来る。拡張アンテナ装置３ｃに設けられる複数の拡張アンテナ３１，３２は、情報処理装置１ｃ側の切替部２０ｃに接続されることで、切替を行うことが出来る。
【００５７】
図３は、第三の実施形態に係る情報処理システムの構成の概略およびハードウェア構成の概略を示す図である。第一の実施形態において説明した構成と同様の構成については、同一の符号を付し、説明を省略する。
【００５８】
本実施形態に係る情報処理システムは、拡張アンテナ装置３ｃが、第一の拡張アンテナ３１と、第二の拡張アンテナ３２と、拡張アンテナ側端子３４ｃと、固定部３５と、を備えており、拡張アンテナを切り替えるために用いられる拡張切替部（スイッチＩＣ）を備えない。このため、拡張アンテナ側端子３４ｃには、第一の実施形態に係る拡張アンテナ側端子３４にあった拡張切替部３３を制御するための信号線が収容されておらず、代わりに、第一の拡張アンテナ３１のための信号線と、第二の拡張アンテナ３２のための信号線と、が収容されている。
【００５９】
このことは、情報処理装置１ｃ側においても同様であり、情報処理装置側端子２１ｃには、拡張切替部３３を制御するための信号線に代えて、第一の拡張アンテナ３１のための信号線と、第二の拡張アンテナ３２のための信号線と、が収容されている。
【００６０】
切替部２０ｃは、通信制御部１８に送られる信号を、基本アンテナ１９からの信号、第一の拡張アンテナ３１からの信号および第二の拡張アンテナ３２からの信号の間で切り替え可能である。そして、通信制御部１８は、切替部２０ｃを制御することで、通信制御部１８に送られる信号を、基本アンテナ１９からの信号、第一の拡張アンテナ３１からの信号および第二の拡張アンテナ３２からの信号の間で切り替える。
【００６１】
即ち、本実施形態に係る情報処理システムによれば、拡張アンテナ装置側の拡張切替部（スイッチＩＣ）を省略することが可能であり、第一の実施形態に比較して更に低いコストで、情報処理の特性に合わせたアンテナ構成を簡易に提供することが出来る。また、アクティブなアンテナを切り替える際に、第一の実施形態および第二の実施形態では、通信制御部１８は切替部２０および拡張切替部３３の両方が連携するように制御する必要があるが、本実施形態では、通信制御部１８は、切替部２０ｃを制御するのみで、アクティブなアンテナを切り替えることが出来る。
【００６２】
＜効果＞
上記説明した実施形態によれば、距離無線通信が用いられる情報処理毎に、情報処理の特性に合わせたアンテナ構成を簡易に提供することが出来る。特に、上記本実施形態に係る拡張アンテナ装置によれば、拡張アンテナ装置側に、近距離無線通信を行うためのＩＣ（情報処理装置１に備えられた通信制御部に相当するもの）を備える必要がないため、製造コストや可用性において有利である。
【符号の説明】
【００６３】
１  情報処理装置
３  拡張アンテナ装置
８  ＩＣタグ（通信器）
９  ゲーム部品
【図１】
0006599720.tif 000002
【図２】
0006599720.tif 000003
【図３】
0006599720.tif 000004